(57)【要約】【課題】機器の制御内容を変更するときにユーザが困惑してしまうことを抑制することができる制御システムを提供する。【解決手段】機器制御システム１００は、施設１０１に設置された機器を制御する制御部１２ａと、施設１０１のユーザの生活に関連する生活情報を取得する通信部１１とを備える。機器制御システム１００は、通信部１１によって取得された生活情報に基づいて、制御部１２ａが機器を制御するための制御内容であってユーザへの提案の対象となる制御内容である対象制御内容を決定し、決定された対象制御内容をユーザに提案するための提案情報を出力する提案部１２ｂと、対象制御内容を許可するか否かを示す入力をユーザから受け付けるタッチパネル１５とを備える。【選択図】図５
2017220918.tif 000002
【特許請求の範囲】
【請求項１】
施設に設置された機器を制御する制御部と、
前記施設のユーザの生活に関連する生活情報を取得する取得部と、
前記取得部によって取得された生活情報に基づいて、前記制御部が前記機器を制御するための制御内容であって前記ユーザへの提案の対象となる制御内容である対象制御内容を決定し、決定された前記対象制御内容を前記ユーザに提案するための提案情報を出力する提案部と、
前記対象制御内容を許可するか否かを示す入力を前記ユーザから受け付ける入力受付部とを備える
制御システム。
【請求項２】
さらに、記憶部を備え、
前記提案部は、
前記入力受付部によって前記対象制御内容を許可する入力が受け付けられた場合、前記対象制御内容を前記記憶部に記憶し、
前記入力受付部によって前記対象制御内容を拒否する入力が受け付けられた場合、前記対象制御内容を前記記憶部に記憶しない
請求項１に記載の制御システム。
【請求項３】
前記提案部は、さらに、前記記憶部に記憶された前記対象制御内容の実行を提案するための情報を出力し、
前記入力受付部は、さらに、前記記憶部に記憶された前記対象制御内容の実行を許可するか否かを示す入力を受け付け、
前記制御部は、前記入力受付部によって前記対象制御内容の実行を許可する入力が受け付けられた場合、前記対象制御内容を実行する
請求項２に記載の制御システム。
【請求項４】
前記制御部は、前記入力受付部によって前記対象制御内容を許可する入力が受け付けられた場合、記憶された前記対象制御内容を実行する
請求項２に記載の制御システム。
【請求項５】
前記入力受付部は、さらに、前記記憶部に記憶された制御内容の削除を指示する入力を前記ユーザから受け付け、
前記制御システムは、さらに、前記記憶部に記憶された制御内容の削除を指示する入力が前記入力受付部によって受け付けられた場合、当該入力によって指示された制御内容を削除する削除部を備える
請求項２〜４のいずれか１項に記載の制御システム。
【請求項６】
前記記憶部に記憶された制御内容は、制御モードに対応づけられ、
前記削除部は、前記記憶部に記憶された制御内容を削除するときに、当該制御内容に対応する制御モードをさらに削除する
請求項５に記載の制御システム。
【請求項７】
前記記憶部に記憶された制御内容は、制御モードに対応づけられ、
前記削除部は、前記記憶部に記憶された制御内容を削除するときに、当該制御内容に対応する制御モードは維持する
請求項５に記載の制御システム。
【請求項８】
前記制御部は、前記機器として照明装置を制御し、
前記取得部は、前記ユーザの睡眠パターンを示す情報を前記生活情報として取得し、
前記提案部は、前記取得部によって取得された前記睡眠パターンを示す情報に基づいて前記照明装置の明るさを変化させる制御内容を、前記対象制御内容として決定する
請求項１〜７のいずれか１項に記載の制御システム。
【請求項９】
前記入力受付部は、タッチパネルであり、
前記制御システムは、さらに、
前記タッチパネルに対向配置され、前記提案部によって出力された前記提案情報に基づいて前記対象制御内容をユーザに提案するための画像を表示する表示部と、
前記タッチパネルへの操作に基づいて、前記機器への電力供給をオン及びオフするスイッチ部と、
前記制御部、前記取得部、前記提案部、前記タッチパネル、前記表示部、及び、前記スイッチ部を収容し、少なくとも一部が前記施設の壁面に埋め込まれる筐体とを備える
請求項１〜８のいずれか１項に記載の制御システム。
【請求項１０】
施設に設置された機器の制御方法であって、
前記施設のユーザの生活に関連する生活情報を取得し、
取得された生活情報に基づいて、前記機器を制御するための制御内容であって前記ユーザへの提案の対象となる制御内容である対象制御内容を決定し、
決定された前記対象制御内容を前記ユーザに提案するための提案情報を出力し、
前記対象制御内容を許可するか否かを示す入力を前記ユーザから受け付ける
制御方法。
【請求項１１】
請求項１０に記載の制御方法をコンピュータに実行させるためのプログラム。
【発明の詳細な説明】
【技術分野】
【０００１】
本発明は、機器を制御するための制御システム及び制御方法に関する。
【背景技術】
【０００２】
従来、ユーザがスマートフォンなどの情報端末をゲートウェイに接続することにより、情報端末を通じてゲートウェイに接続された電気機器を制御することができる機器制御システムが知られている。このような機器制御システムの一例として、特許文献１には、ユーザの健康を促進することができる宅内制御システムが開示されている。
【先行技術文献】
【特許文献】
【０００３】
【特許文献１】特開２０１５−２２８５９１号公報
【発明の概要】
【発明が解決しようとする課題】
【０００４】
ところで、機器制御システムが自動的に機器の制御内容を変更する場合、ユーザを困惑させてしまうことがある。
【０００５】
本発明は、機器の制御内容を変更するときにユーザが困惑してしまうことを抑制することができる制御システム及び制御方法を提供する。
【課題を解決するための手段】
【０００６】
本発明の一態様に係る制御システムは、施設に設置された機器を制御する制御部と、前記施設のユーザの生活に関連する生活情報を取得する取得部と、前記取得部によって取得された生活情報に基づいて、前記制御部が前記機器を制御するための制御内容であって前記ユーザへの提案の対象となる制御内容である対象制御内容を決定し、決定された前記対象制御内容を前記ユーザに提案するための提案情報を出力する提案部と、前記対象制御内容を許可するか否かを示す入力を前記ユーザから受け付ける入力受付部とを備える。
【０００７】
本発明の一態様に係る制御方法は、施設に設置された機器の制御方法であって、前記施設のユーザの生活に関連する生活情報を取得し、取得された生活情報に基づいて、前記機器を制御するための制御内容であって前記ユーザへの提案の対象となる制御内容である対象制御内容を決定し、決定された前記対象制御内容を前記ユーザに提案するための提案情報を出力し、前記対象制御内容を許可するか否かを示す入力を前記ユーザから受け付ける。
【０００８】
本発明の一態様に係るプログラムは、上記制御方法をコンピュータに実行させるためのプログラムである。
【発明の効果】
【０００９】
本発明は、機器の制御内容を変更するときにユーザが困惑してしまうことを抑制することができる。
【図面の簡単な説明】
【００１０】
【図１】図１は、実施の形態に係る機器制御システムの概要を示す図である。
【図２】図２は、実施の形態に係る制御装置の斜視図である。
【図３】図３は、実施の形態に係る制御装置の正面図である。
【図４】図４は、空調装置を制御するための画像の一例を示す図である。
【図５】図５は、実施の形態に係る機器制御システムの構成を示すブロック図である。
【図６】図６は、提案画像の一例を示す図である。
【図７】図７は、実施の形態に係る制御装置の動作例１のフローチャートである。
【図８】図８は、動作例１において表示される実行提案画像の一例を示す図である。
【図９】図９は、実施の形態に係る制御装置の動作例２のフローチャートである。
【図１０】図１０は、動作例２において表示される提案画像の一例を示す図である。
【図１１】図１１は、制御内容を削除するための画像の一例を示す図である。
【図１２】図１２は、制御内容を削除するための画像の別の一例を示す図である。
【図１３】図１３は、アンケート画像の一例を示す図である。
【発明を実施するための形態】
【００１１】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付し、重複する説明は省略または簡略化される場合がある。
【００１３】
（実施の形態）
［機器制御システムの構成］
まず、実施の形態に係る機器制御システムの構成について説明する。図１は、実施の形態に係る機器制御システムの概要を示す図である。
【００１４】
図１に示されるように、機器制御システム１００は、施設１０１に設けられ、施設１０１内に設置された機器を制御するためのシステムである。施設１０１は、例えば、戸建住宅である。施設１０１内には、壁及び扉などで仕切られた複数の部屋が含まれる。複数の部屋は、具体的には、部屋１０２、部屋１０２ａ、及び、部屋１０２ｂである。
【００１５】
機器制御システム１００が備える制御装置１０は、ユーザが部屋１０２内に設置された照明装置２０、空調装置３０、及び、換気装置４０を制御するためのコントローラである。制御装置１０は、いわゆる壁スイッチ（壁スイッチ装置）としても機能する。図２は、制御装置１０の斜視図である。図３は、制御装置１０の正面図である。
【００１６】
図２に示されるように、制御装置１０は、部屋１０２の壁面１０３に設置される。制御装置１０は、壁面１０３に埋め込まれたスイッチボックス１０４に筐体１８の少なくとも一部が収容された状態で、壁面１０３に設置される。制御装置１０の取り付け方法は、汎用の壁スイッチとほぼ同様であり、スイッチボックス１０４も壁スイッチ用のものが使用できる。
【００１７】
図３に示されるように、制御装置１０は、いわゆるＧＵＩ（Ｇｒａｐｈｉｃａｌ  Ｕｓｅｒ  Ｉｎｔｅｒｆａｃｅ）として機能し、制御装置１０の表示部１６には、例えば、アイコン（ボタン）を含む画像が表示される。ユーザは、表示部１６（タッチパネル）のアイコンの部分をタップ操作することにより、照明装置２０、空調装置３０、及び、換気装置４０の各機器への電力供給をオン及びオフすることができる。
【００１８】
なお、制御装置１０の表示部１６には、上記各機器の詳細な制御を行うための画像も表示される。図４は、空調装置３０を制御するための画像の一例を示す図である。図４に示される画像によれば、ユーザは、空調装置３０の運転モードの切り替え及び設定温度の変更を行うことができる。図３に示される画像から図４に示される画像へは、例えば、表示部１６（タッチパネル１５）へのスワイプ操作によって遷移する。なお、図示されないが、表示部１６には、照明装置２０の調光制御及び調色制御、並びに、換気装置４０の風量制御などを行うための画像が表示されてもよい。
【００１９】
ここで、制御装置１０（機器制御システム１００）は、施設１０１のユーザの生活に関する生活情報を取得し、制御装置１０の制御対象機器を制御するための制御内容（制御アルゴリズム）を自動的に決定することができる。
【００２０】
決定した制御内容を即座に登録（記憶）及び実行してしまうことは、ユーザを困惑させてしまう場合があるが、機器制御システム１００は、このようなユーザの困惑を抑制することができる。以下、機器制御システム１００の詳細構成について説明する。図５は、実施の形態に係る機器制御システムの構成を示すブロック図である。
【００２１】
図５に示されるように、機器制御システム１００は、具体的には、制御装置１０と、照明装置２０と、空調装置３０と、換気装置４０と、室外機５０と、分電盤６０とを備える。また、図５では、外部電源として電力系統７０も図示されている。なお、図１に示されるように、機器制御システム１００は、部屋ごとに、当該部屋に設置された機器を制御するための制御装置を備えてもよい。つまり、機器制御システム１００は、複数の制御装置と、当該制御装置の制御対象機器とを備えてもよい。以下、機器制御システム１００を構成する各構成要素について主として図１及び図５を参照しながら説明する。
【００２２】
［制御装置］
上述のように、制御装置１０は、例えば、部屋１０２に設置され、ユーザが当該部屋１０２内に設置された機器を制御するためのコントローラである。制御装置１０は、少なくとも１つの機器を制御できればよいが、複数の機器を制御してもよい。また、制御装置１０は、機能が異なる複数種類の機器を制御してもよい。制御装置１０は、具体的には、照明装置２０、空調装置３０、及び、換気装置４０を制御する。言い換えれば、照明装置２０、空調装置３０、及び、換気装置４０は、制御装置１０の制御対象機器である。
【００２３】
制御装置１０は、具体的には、通信部１１と、信号処理部１２と、記憶部１３と、電源部１４と、タッチパネル１５と、表示部１６と、スイッチ部１７とを備える。また、図２に示されるように、制御装置１０は、筐体１８を備える。
【００２４】
通信部１１は、施設１０１に設置された機器と無線通信を行う。通信部１１は、具体的には、信号処理部１２（制御部１２ａ）の制御に基づいて、照明装置２０、空調装置３０、及び、換気装置４０に制御信号を無線送信する。通信部１１は、具体的には、無線通信用の通信モジュール（通信回路）である。
【００２５】
制御装置１０は、施設１０１内の小規模なネットワークを用いて無線通信を行う。このため、制御装置１０は、基本的には、インターネットには接続不可能であるが、ルータ等を介してインターネットに接続可能であってもよい。
【００２６】
また、通信部１１は、取得部の一例であって、施設１０１のユーザの生活に関連する生活情報を無線通信によって取得（受信）する。生活情報は、例えば、ユーザが施設１０１内で生活することによって消費されるエネルギーを示す消費エネルギー情報であり、より具体的には、分電盤６０が備える電力計測装置６３によって計測される消費電力情報などである。また、生活情報は、施設１０１におけるユーザの生活環境を示す環境情報であってもよい。環境情報は、室外機５０が備える温度計測装置５１によって計測される外気温情報、空調装置３０が備える温湿度計測装置３１によって計測される温度情報及び湿度情報、並びに、空調装置３０が備える浮遊粒子計測装置３２によって計測される粒子量情報などである。このように、通信部１１は、分電盤６０、空調装置３０、及び、室外機５０などから生活情報を取得する。
【００２７】
なお、通信部１１は、分電盤６０とは別体の電力計測装置６３から、当該電力計測装置６３によって計測される消費電力情報を取得してもよい。同様に、通信部１１は、室外機５０とは別体の温度計測装置５１から外気温情報を取得してもよいし、空調装置３０とは別体の温湿度計測装置３１から温度情報及び湿度情報を取得してもよい。通信部１１は、空調装置３０とは別体の浮遊粒子計測装置から粒子量情報を取得してもよい。
【００２８】
信号処理部１２は、機器の制御に関連する信号処理を行う。信号処理部１２は、制御部１２ａと、提案部１２ｂと、削除部１２ｃとを備える。信号処理部１２は、具体的には、プロセッサ、マイクロコンピュータ、または専用回路によって実現される。信号処理部１２の具体的な動作については後述される。
【００２９】
制御部１２ａは、通信部１１に制御信号を無線送信させることにより、照明装置２０、空調装置３０、及び、換気装置４０の制御を行う。また、制御部１２ａは、タッチパネル１５への操作に基づいて、スイッチ部１７を制御する。つまり、制御部１２ａは、照明装置２０、空調装置３０、及び、換気装置４０への電力供給のオン及びオフを制御する。また、制御部１２ａは、表示部１６に図３または図４に示されるような画像を表示させる。
【００３０】
提案部１２ｂは、通信部１１によって取得された生活情報に基づいて制御部１２ａが機器を制御するための新たな制御内容である対象制御内容を決定する。提案部１２ｂは、決定された対象制御内容をユーザに提案するための提案情報を出力する。提案情報は、具体的には、対象制御内容をユーザに提案するための提案画像を表示するための情報（画像情報）であり、表示部１６に出力される。つまり、表示部１６は、提案部１２ｂの制御に基づいて、提案画像を表示する。図６は、提案画像の一例を示す図である。
【００３１】
図６に示されるように、提案画像においては、対象制御内容を記憶（登録）するかどうかをユーザに問い合わせるメッセージと、対象制御内容を記憶することをユーザが許可するための第１アイコン１６ａと、対象制御内容を記憶することをユーザが拒否するための第２アイコン１６ｂとが含まれる。
【００３２】
ユーザが第１アイコン１６ａをタップ操作すると、タッチパネル１５は、このタップ操作を入力として受け付ける。提案部１２ｂは、タッチパネル１５によって受け付けられた入力が対象制御内容を許可する入力であると判断した場合、対象制御内容を記憶部１３に記憶する。
【００３３】
一方、ユーザが第２アイコン１６ｂをタップ操作すると、タッチパネル１５は、このタップ操作を入力として受け付ける。提案部１２ｂは、タッチパネル１５によって受け付けられた入力が対象制御内容を拒否する入力であると判断した場合、対象制御内容を記憶部１３に記憶しない。なお、対象制御内容の決定方法の詳細については後述される。
【００３４】
削除部１２ｃは、記憶部１３に記憶された制御内容の削除を指示する入力がタッチパネル１５によって受け付けられた場合、当該入力によって指示された制御内容を削除する。
【００３５】
記憶部１３は、通信部１１によって取得された生活情報、及び、制御内容（対象制御内容）などが記憶される記憶装置である。制御内容は、言い換えれば、機器の制御アルゴリズムである。記憶部１３に記憶された制御内容は、例えば、ユーザがタッチパネル１５に所定の操作を行うことなどによって実行される。
【００３６】
記憶部１３には、信号処理部１２が実行する制御プログラムなども記憶される。記憶部１３は、具体的には、半導体メモリなどによって実現される。
【００３７】
電源部１４は、電力系統７０から供給される交流電力を、制御装置１０の動作に適した直流電力に変換して制御装置１０が備える各構成要素に供給する。電源部１４は、具体的には、ＡＣ／ＤＣコンバータまたはＤＣ／ＤＣコンバータなどを含む電源回路である。
【００３８】
タッチパネル１５は、ユーザに操作される検知デバイスである。また、タッチパネル１５は、入力受付部の一例であって、対象制御内容を許可するか否かを示す入力をユーザから受け付ける。また、タッチパネル１５は、記憶部１３に記憶された制御内容の削除を指示する入力をユーザから受け付ける。タッチパネル１５は、静電容量方式のタッチパネルであってもよいし、抵抗膜方式などその他の方式のタッチパネルであってもよい。
【００３９】
表示部１６は、制御部１２ａの制御に基づいて、ユーザが照明装置２０、空調装置３０、及び、換気装置４０を制御するための画像を表示する。表示部１６が表示する画像は、図３及び図４に例示される。また、表示部１６は、提案部１２ｂによって出力された提案情報に基づいて対象制御内容をユーザに提案するための提案画像を表示する。提案画像は、図６に例示される。表示部１６は、具体的には、液晶パネル、または、有機ＥＬパネルなどによって実現される。
【００４０】
スイッチ部１７は、タッチパネル１５への操作に基づいて、照明装置２０、空調装置３０、及び、換気装置４０のそれぞれに対する電力系統７０からの電力供給をオン及びオフする。つまり、スイッチ部１７は、照明装置２０、空調装置３０、及び、換気装置４０の主電源をオフする。スイッチ部１７は、具体的には、タッチパネル１５への操作に基づいて制御部１２ａによって制御される。スイッチ部１７は、制御部１２ａが無線通信を行うことなく直接制御するスイッチ素子を、照明装置２０、空調装置３０、及び、換気装置４０に対応して３つ有する。
【００４１】
スイッチ素子は、電力系統７０から各機器までの分岐回路７２上（電力線上）に位置し、電力系統７０と各機器との電気的な接続をオン及びオフする。スイッチ素子は、リレー素子などの電気接点を構造的に開閉する素子であってもよいし、パワートランジスタなどの半導体スイッチング素子であってもよい。なお、スイッチ部１７は、少なくとも１つスイッチ素子を備えればよい。つまり、スイッチ部１７は、少なくとも１つの機器への電力供給を直接的にオン及びオフできればよい。
【００４２】
筐体１８（図２に図示）は、通信部１１、信号処理部１２（制御部１２ａ及び提案部１２ｂ）、タッチパネル１５、表示部１６、及び、スイッチ部１７を収容する。筐体１８は、例えば、樹脂によって形成されるが、一部または全部が金属によって形成されてもよい。上述のように、筐体１８は、少なくとも一部が施設１０１の壁面１０３に埋め込まれる。
【００４３】
以上、制御装置１０の構成について説明した。なお、説明された制御装置１０の構成は、一例である。例えば、制御装置１０は、壁スイッチとして機能するための構成要素（スイッチ部１７等）を備えないコントローラであってもよい。
【００４４】
［照明装置］
照明装置２０は、施設１０１に設置された機器の一例であり、具体的には、部屋１０２に設置される。照明装置２０は、室内を照明するいわゆるシーリングライトである。照明装置２０の具体的態様は、特に限定されず、ダウンライト、ペンダントライト、スポットライト、または、ブラケットライト等であってもよい。
【００４５】
照明装置２０は、具体的には、ＬＥＤ（Ｌｉｇｈｔ  Ｅｍｉｔｔｉｎｇ  Ｄｉｏｄｅ）を光源として備える。照明装置２０は、蛍光管、半導体レーザ等の半導体発光素子、または、有機ＥＬ（Ｅｌｅｃｔｒｏ  Ｌｕｍｉｎｅｓｃｅｎｃｅ）もしくは無機ＥＬ等の固体発光素子を光源として備えてもよい。
【００４６】
また、図示されないが、照明装置２０は、制御装置１０と無線通信を行うための通信モジュール（通信回路）を備え、制御装置１０が備える通信部１１によって送信される制御信号を受信する。つまり、照明装置２０は、制御装置１０から受信した制御信号に基づいて発光または消灯することができる。例えば、制御信号において調光率（調光比）が指定されている場合、照明装置２０は、指定された調光率で発光する。また、制御信号において色温度が指定されている場合、照明装置２０は、指定された色温度で発光する。また、電力系統７０から照明装置２０への電力供給のオン及びオフ（点灯及び消灯）は、スイッチ部１７によって制御される。
【００４７】
［空調装置］
空調装置３０は、施設１０１に設置された機器の一例であり、具体的には、部屋１０２に設置される。空調装置３０は、一般家庭用の空調装置である。空調装置３０は、熱交換器（図示せず）などを有することにより、空調装置３０から送出される風の温度の調整が可能な空調装置である。つまり、空調装置３０は、送風機能及び冷暖房機能を有する。空調装置３０は、一般家庭用の空調装置に限定されず、産業用の空調装置であってもよい。
【００４８】
空調装置３０は、温湿度計測装置３１を備える。温湿度計測装置３１は、部屋１０２の温度及び湿度を計測し、計測した温度（室温）を示す温度情報、及び、計測した湿度を示す湿度情報を出力する。温湿度計測装置３１は、温度を計測するための素子として、サーミスタまたは熱電対等を有し、湿度を計測するための素子として、高分子抵抗式の湿度センサ、または、高分子容量式の湿度センサなどを有する。なお、施設１０１内の温度及び湿度の計測には、空調装置３０とは別体の温湿度計測装置３１が用いられてもよい。
【００４９】
空調装置３０は、浮遊粒子計測装置３２を備える。浮遊粒子計測装置３２は、部屋１０２内の浮遊粒子の量を計測し、計測した浮遊粒子の量を示す粒子量情報を出力する。浮遊粒子計測装置３２は、具体的には、ＰＭ２．５センサなどである。なお、施設１０１内の浮遊粒子の量の計測には、空調装置３０とは別体の浮遊粒子計測装置３２が用いられてもよい。また、浮遊粒子計測装置３２は、空気清浄機など、空調装置３０以外の装置の一部とされてもよい。
【００５０】
また、図示されないが、空調装置３０は、制御装置１０と無線通信を行うための通信モジュール（通信回路）を有し、制御装置１０が備える通信部１１によって送信される制御信号を受信する。つまり、空調装置３０は、制御装置１０から受信した制御信号に基づいて、運転モードの切り替え、及び、設定温度の変更を行うことができる。
【００５１】
また、空調装置３０は、温湿度計測装置３１によって出力される温度情報及び湿度情報を制御装置１０が備える通信部１１に送信する。同様に、空調装置３０は、浮遊粒子計測装置３２によって出力される粒子量情報を制御装置１０が備える通信部１１に送信する。
【００５２】
電力系統７０から空調装置３０への電力供給のオン及びオフは、スイッチ部１７によって制御される。
【００５３】
［換気装置］
換気装置４０は、施設１０１に設置された機器の一例であり、部屋１０２に設置され、部屋１０２（室内）と施設１０１外（屋外）との間で換気を行う。換気装置４０は、いわゆる換気扇であり、ファンの回転により部屋１０２内の空気を施設１０１の外に排気する。換気装置４０は、基本的には、施設１０１外の空気を部屋１０２内に取り込む（吸気する）ことはできない。また、換気装置４０は、排気量（風量）を変更することができる。
【００５４】
なお、空調装置３０と異なり、換気装置４０は、施設１０１外に排気される空気の温度の調整機能を有しない。つまり、換気装置４０は、送風機能を有するが、冷房機能及び暖房機能は有しない。
【００５５】
また、図示されないが、換気装置４０は、制御装置１０と無線通信を行うための通信モジュール（通信回路）を有し、制御装置１０が備える通信部１１によって送信される制御信号を受信する。つまり、換気装置４０は、制御装置１０から受信した制御信号に基づいて、風量を変更することができる。
【００５６】
電力系統７０から換気装置４０への電力供給のオン及びオフは、スイッチ部１７によって制御される。
【００５７】
［室外機］
室外機５０は、空調装置３０の室外機である。室外機５０は、温度計測装置５１を備える。温度計測装置５１は、サーミスタまたは熱電対などの温度計測用の素子を有し、施設１０１の周辺における外気温を計測する。また、図示されないが、室外機５０は、制御装置１０と無線通信を行うための通信モジュール（通信回路）を有し、温度計測装置５１によって計測された外気温を示す外気温情報を、制御装置１０が備える通信部１１に送信する。なお、外気温の計測には、室外機５０と別体の温度計測装置５１が用いられてもよい。
【００５８】
［分電盤］
分電盤６０は、電力計測機能及び無線通信機能を有する分電盤である。分電盤６０は、電力系統７０からの幹線７１を通じた電力供給をオンまたはオフするため主幹ブレーカ６１を有する。主幹ブレーカ６１は、所定の電流（電力会社との契約で定められる電力に基づく電流）を超える電流が電力系統７０から流れたときに、電力系統７０からの電力の供給を停止するブレーカである。
【００５９】
また、分電盤６０は、幹線７１から分岐した複数の分岐回路７２のそれぞれに対応して、複数の分岐ブレーカ６２を有する。つまり、分電盤６０は、分岐回路７２ごとに、分岐ブレーカ６２を有する。分岐ブレーカ６２は、当該分岐ブレーカ６２に接続された分岐回路７２に過電流が流れた場合に、当該分岐回路７２への電力の供給を停止するブレーカである。
【００６０】
また、分電盤６０は、電力計測装置６３を有する。電力計測装置６３は、分岐回路７２ごとに設けられたＣＴ（Ｃｕｒｒｅｎｔ  Ｔｒａｎｓｆｏｒｍｅｒ）を含み、ＣＴにより、幹線７１から分岐した分岐回路７２ごとに消費電力量（電流量）を計測する。電力計測装置６３は、例えば、分岐回路７２に機器が１つ接続されている場合には、この１つの機器の消費電力量を測定することができる。図５の例では、照明装置２０、空調装置３０、及び、換気装置４０は、専用の分岐回路に接続されているため、電力計測装置６３は、照明装置２０、空調装置３０、及び、換気装置４０のそれぞれの消費電力量を計測することができる。なお、機器は、より具体的には、コンセント（図示せず）を介して分岐回路７２に接続される。
【００６１】
電力計測装置６３は、具体的には、上記ＣＴと、プロセッサ、マイクロコンピュータ、または専用回路などとによって実現される。なお、電力計測装置６３は、ＣＴを有する構成に限定されず、例えば、ロゴスキー回路またはＧＭＲ（Ｇｉａｎｔ  Ｍａｇｎｅｔｉｃ  Ｒｅｓｉｓｔａｎｃｅ）素子を有してもよい。
【００６２】
また、図示されないが、分電盤６０は、制御装置１０と無線通信を行うための通信モジュール（通信回路）を有し、制御装置１０と無線通信が可能である。分電盤６０は、具体的には、分岐回路７２ごとの消費電力を示す消費電力情報を、無線通信により制御装置１０に送信する。
【００６３】
なお、施設１０１内の消費電力量の計測には、分電盤６０とは別体の電力計測装置６３が用いられてもよい。例えば、電力計測装置６３として、スマートメータ（通信機能を備える電力量計）が用いられてもよい。
【００６４】
［動作例１］
次に、制御装置１０の動作例１について説明する。図７は、制御装置１０の動作例１のフローチャートである。
【００６５】
まず、通信部１１は、施設１０１のユーザの生活に関連する生活情報を取得する（Ｓ１１）。次に、提案部１２ｂは、通信部１１によって取得された生活情報に基づいて制御部１２ａが機器を制御するための対象制御内容を決定する（Ｓ１２）。
【００６６】
提案部１２ｂは、決定された対象制御内容をユーザに提案するための提案情報を表示部１６に出力する。表示部１６は、提案情報に基づいて提案画像を表示する（Ｓ１３）。表示部１６は、具体的には、図６に示されるような画像を表示する。
【００６７】
次に、タッチパネル１５は、提案画像に対する入力をユーザから受け付ける（Ｓ１４）。タッチパネル１５は、具体的には、対象制御内容を許可するか否かを示す入力をユーザから受け付ける。提案部１２ｂは、タッチパネル１５が受け付けた入力が対象制御内容を許可する入力であるか否かを判断する（Ｓ１５）。
【００６８】
提案部１２ｂは、タッチパネル１５のうち、提案画像の第２アイコン１６ｂに対応する領域がタップ操作された場合、対象制御内容が拒否されたと判断する（Ｓ１５でＮｏ）。この場合、提案部１２ｂは、対象制御内容を記憶せずに動作を終了する。
【００６９】
一方、提案部１２ｂは、タッチパネル１５のうち、提案画像の第１アイコン１６ａに対応する領域がタップ操作された場合、対象制御内容が許可されたと判断する（Ｓ１５でＹｅｓ）。この場合、提案部１２ｂは、対象制御内容を記憶部１３に記憶する（Ｓ１６）。
【００７０】
次に、提案部１２ｂは、記憶部１３に記憶された対象制御内容の実行を提案するための画像情報である実行提案情報を表示部１６に出力する。表示部１６は、実行提案情報に基づいて実行提案画像を表示する（Ｓ１７）。図８は、実行提案画像の一例を示す図である。
【００７１】
図８に示されるように、実行提案画像においては、対象制御内容を実行するかどうかをユーザに問い合わせるメッセージと、対象制御内容を実行することをユーザが許可するための第３アイコン１６ｃと、対象制御内容を実行することをユーザが拒否するための第４アイコン１６ｄとが含まれる。
【００７２】
次に、タッチパネル１５は、対象制御内容の実行を許可するか否かを示す入力をユーザから受け付ける（Ｓ１８）。提案部１２ｂは、タッチパネル１５が受け付けた入力が対象制御内容の実行を許可する入力であるか否かを判断する（Ｓ１９）。
【００７３】
提案部１２ｂは、タッチパネル１５のうち、実行提案画像の第４アイコン１６ｄに対応する領域がタップ操作された場合、対象制御内容の実行が拒否されたと判断する（Ｓ１９でＮｏ）。この場合、提案部１２ｂは、対象制御内容を実行せずに動作を終了する。
【００７４】
一方、提案部１２ｂは、タッチパネル１５のうち、実行提案画像の第３アイコン１６ｃに対応する領域がタップ操作された場合、対象制御内容の実行が許可されたと判断する（Ｓ１９でＹｅｓ）。この場合、提案部１２ｂは、対象制御内容を実行する（Ｓ２０）。
【００７５】
以上、制御装置１０の動作例１について説明した。制御装置１０の動作例１によれば、提案部１２ｂが決定した対象制御内容がユーザの意図に反して記憶されてしまうことが抑制される。したがって、制御装置１０の動作例１によれば、提案部１２ｂが決定した対象制御内容がユーザの意図に反して実行されてしまうことが抑制される。つまり、機器制御システム１００は、機器の制御内容を変更するときにユーザが困惑してしまうことを抑制することができる。
【００７６】
また、制御装置１０は、少なくとも一部が壁スイッチ用のスイッチボックス１０４に収容される必要があるため、サイズに制限がある。このため、サーバ装置のように大容量の記憶部を備えることが難しい。ユーザに許可された対象制御内容のみが記憶されることにより、制御装置１０においては記憶容量の増大が抑制されている。
【００７７】
［動作例２］
次に、制御装置１０の動作例２について説明する。図９は、制御装置１０の動作例２のフローチャートである。なお、以下の動作例２において、動作例１において既に説明された内容については説明が省略または簡略化される場合がある。
【００７８】
まず、通信部１１は、施設１０１のユーザの生活に関連する生活情報を取得する（Ｓ１１）。次に、提案部１２ｂは、通信部１１によって取得された生活情報に基づいて制御部１２ａが機器を制御するための対象制御内容を決定する（Ｓ１２）。
【００７９】
提案部１２ｂは、決定された対象制御内容をユーザに提案するための提案情報を表示部１６に出力する。表示部１６は、提案情報に基づいて提案画像を表示する（Ｓ１３）。表示部１６は、具体的には、図１０に示されるような画像を表示する。図１０は、動作例２において表示される提案画像の一例を示す図である。
【００８０】
図１０に示されるように、動作例２において表示される提案画像には、対象制御内容が記憶（登録）されると、記憶された対象制御内容を実行することを示唆するメッセージが含まれる。
【００８１】
次に、タッチパネル１５は、提案画像に対する入力をユーザから受け付ける（Ｓ１４）。タッチパネル１５は、対象制御内容を許可するか否かを示す入力をユーザから受け付ける。提案部１２ｂは、タッチパネル１５が受け付けた入力が対象制御内容を許可する入力であるか否かを判断する（Ｓ１５）。
【００８２】
提案部１２ｂは、対象制御内容が拒否されたと判断した場合（Ｓ１５でＮｏ）、対象制御内容を記憶せずに動作を終了する。一方、提案部１２ｂは、対象制御内容が許可されたと判断した場合（Ｓ１５でＹｅｓ）、対象制御内容を記憶部１３に記憶し（Ｓ１６）、記憶した対象制御内容を実行する（Ｓ２０）。
【００８３】
以上、制御装置１０の動作例２について説明した。制御装置１０の動作例２によれば、提案部１２ｂが決定した対象制御内容がユーザの意図に反して実行されてしまうことが抑制される。つまり、機器制御システム１００は、対象制御内容の実行によりユーザが困惑してしまうことを抑制することができる。また、ユーザは、一度の入力により、制御装置１０に対象制御内容を記憶及び実行させることができる。
【００８４】
［対象制御内容の決定例１］
次に、対象制御内容の決定例について説明する。まず、決定例１では、ユーザの生活スタイルに合わせて照明装置２０が制御される対象制御内容について説明する。
【００８５】
１つの分岐回路７２に１つの照明装置２０のみが接続されている場合、通信部１１は、生活情報として、照明装置２０の消費電力情報を電力計測装置６３から取得することができる。消費電力情報にタイムスタンプなどの時刻情報が付与されていれば、提案部１２ｂは、通信部１１が取得した照明装置２０の消費電力情報に基づいて、夜間に照明装置２０の消費電力が第１消費電力以下となった時刻を、ユーザの就寝時刻であると推定することができる。なぜなら、ユーザは、就寝時には、照明装置２０を消灯または減光すると考えられるからである。
【００８６】
また、提案部１２ｂは、通信部１１が取得した照明装置２０の消費電力情報に基づいて、ユーザの就寝時刻以降で、照明装置２０の消費電力が第１消費電力よりも大きい第２消費電力以上となった時刻を、ユーザの起床時刻であると推定することができる。なぜなら、ユーザは、起床時には、照明装置２０を点灯または増光すると考えられるからである。
【００８７】
このように、照明装置２０の消費電力情報は、ユーザの睡眠パターンを示す情報として使用することができる。そこで、提案部１２ｂは、通信部１１によって取得された照明装置２０の消費電力情報（睡眠パターンを示す情報）に基づいて照明装置２０の明るさを変化させる制御内容を、対象制御内容として決定してもよい。
【００８８】
提案部１２ｂは、例えば、上記のように推定された就寝時刻に自動的に照明装置２０を消灯または減光し、推定された起床時刻に自動的に照明装置を点灯または増光する制御内容を、対象制御内容として決定する。これにより、ユーザは、照明装置２０を操作する必要がなくなる。
【００８９】
なお、提案部１２ｂは、例えば、所定の日数の期間における就寝時刻の平均値または就寝時刻の中間値など、統計処理された就寝時刻を就寝時刻の推定に用いるとよい。起床時刻についても同様である。
【００９０】
また、提案部１２ｂは、制御部１２ａスイッチ部１７のうち照明装置２０に対応するスイッチ素子の状態に基づいて、就寝時刻及び起床時刻を判断してもよい。つまり、提案部１２ｂ自身が制御部１２ａからスイッチ部１７の状態を生活情報として取得する取得部として機能してもよい。この場合、通信部１１によって消費電力情報が取得される必要はない。
【００９１】
［対象制御内容の決定例２］
決定例２では、ユーザを睡眠に誘導する対象制御内容について説明する。決定例１のように就寝時刻及び起床時刻の推定が行われれば、提案部１２ｂは、ユーザの就寝時刻の平均値（平均就寝時刻とも記載する）、及び、ユーザの睡眠時間の平均値（平均睡眠時間とも記載する）を算出することができる。そうすると、提案部１２ｂは、ユーザの直近の所定期間における就寝時刻が、それよりも前の所定期間における平均就寝時刻よりも短くなっていることを検出することができる。また、提案部１２ｂは、ユーザの直近の所定期間における睡眠時間が、それよりも前の所定期間における平均睡眠時間よりも短くなっていることを検出することができる。
【００９２】
このように、提案部１２ｂは、直近の所定期間におけるユーザの睡眠状態が悪化していることを検出した場合に、ユーザを睡眠に誘導する制御内容を対象制御内容として決定することができる。
【００９３】
ユーザを睡眠に誘導する制御内容は、具体的には、直近の所定期間における平均就寝時間よりも前の時刻から徐々に照明装置２０を減光（フェード）させる制御内容である。また、ユーザを睡眠に誘導する制御内容は、直近の所定期間における平均就寝時間よりも前の時刻において空調装置３０を自動的に動作させ、室内の環境（温度及び湿度）を睡眠に適した環境にする制御内容であってもよい。なお、このような対象制御内容は、直近の所定期間におけるユーザの睡眠状態が悪化していることが検出されたときに提案されるとよい。
【００９４】
［対象制御内容の決定例３］
決定例３では、温度情報及び外気温情報に基づく省エネルギー化を目的とした対象制御内容について説明する。
【００９５】
上述のように、通信部１１は、生活情報として、温度情報を空調装置３０から取得することができる。また、通信部１１は、生活情報として、外気温情報を室外機５０から取得することができる。
【００９６】
そこで、例えば、空調装置３０が暖房運転中であって、かつ、外気温情報が示す外気温が、温度情報が示す室温よりも高いときに、空調装置３０を停止させ、かつ、換気装置４０を動作させる制御内容が、対象制御内容として決定されてもよい。このような対象制御内容によれば、空調装置３０よりも消費電力が低い換気装置４０を動作させることで室温を上昇させることができるため、省エネルギー化が図られる。なお、このような制御内容は、空調装置３０が暖房運転中であって、かつ、外気温情報が示す外気温が、温度情報が示す室温よりも高いことが検出されたときに提案されるとよい。
【００９７】
また、空調装置３０が冷房運転中であって、かつ、外気温情報が示す外気温が、温度情報が示す室温よりも低いときに、空調装置３０を停止させ、かつ、換気装置４０を動作させる制御内容が、対象制御内容として決定されてもよい。このような対象制御内容によれば、空調装置３０よりも消費電力が低い換気装置４０を動作させることで室温を低下させることができるため、省エネルギー化が図られる。なお、このような制御内容は、空調装置３０が冷房運転中であって、かつ、外気温情報が示す外気温が、温度情報が示す室温よりも高いことが検出されたときに提案されるとよい。
【００９８】
［対象制御内容の決定例４］
決定例４では、施設１０１内（部屋１０２内）の自動空気清浄を目的とした対象制御内容について説明する。
【００９９】
上述のように、通信部１１は、生活情報として、粒子量情報を空調装置３０から取得することができる。そこで、粒子量情報が示す浮遊粒子の量が所定量以上である場合に、空調装置３０及び換気装置４０の少なくとも一方を動作させる制御内容が対象制御内容として決定されてもよい。
【０１００】
このような対象制御内容によれば、施設１０１内（部屋１０２内）の浮遊粒子の量が多いときに換気を行うことができるため、施設１０１内（部屋１０２内）の自動空気清浄が実現される。なお、このような対象制御内容は、粒子量情報が示す浮遊粒子の量が所定量以上であることが検出されたときに提案されるとよい。また、制御装置１０の制御対象機器に空気清浄機が含まれる場合には、制御部１２ａは、さらに空気清浄機を動作させてもよい。
【０１０１】
［対象制御内容の決定例５］
決定例５では、施設１０１内（部屋１０２内）のシーン制御を対象制御内容として決定する例について説明する。
【０１０２】
例えば、施設１０１内の機器の制御履歴が生活情報として通信部１１によって取得され、記憶部１３に蓄積される。そうすると、提案部１２ｂは、夜の所定の時間帯（例えば、ユーザが就寝する時間帯）には、照明装置２０がオフされ、空調装置３０が設定温度２７℃で冷房運転を開始する、などの傾向を特定することができる。また、提案部１２ｂは、朝の所定の時間帯（例えばユーザが外出する時間帯）には、照明装置２０及び空調装置３０がオフされることを特定することもできる。提案部１２ｂは、このように複数の機器を一括して特定の制御状態にするシーン制御を対象制御内容として決定してもよい。
【０１０３】
また、提案部１２ｂは、新たなシーン制御を提案するための提案情報を出力するだけでなく、既存のシーン制御の制御内容の変更を提案するための提案情報を出力してもよい。
【０１０４】
ところで、上記のようなシーン制御がユーザによって許可されると、提案部１２ｂは、例えば、シーン制御が行われる時間帯に、シーン制御を実行するためのアイコン（ボタン）を表示部１６に表示させる。このとき、提案部１２ｂは、他の画像またはアイコンよりもシーン制御を実行するためのアイコンを優先して表示部１６に表示させてもよい。
【０１０５】
例えば、シーン制御が行われる時間帯に図３または図４に示される画像が表示部１６に表示されているときには、提案部１２ｂは、表示中の画像に代えてシーン制御を実行するためのアイコンを表示させてもよい。また、提案部１２ｂは、表示中の画像にシーン制御を実行するためのアイコンを重畳表示させてもよい。
【０１０６】
また、後述する図１２のように、表示部１６にアイコンが上下方向に複数並べて表示される場合に、シーン制御を実行するためのアイコンが優先的に一番上に表示されてもよいし、一画面に同時に表示されるアイコンの数に制限がある場合に、シーン制御を実行するためのアイコンが最初に表示される画面に優先的に表示されてもよい。
【０１０７】
また、優先的に表示されるアイコンは、シーン制御を実行するためのアイコンに限定されない。例えば、シーン制御を実行するためのアイコンを含む複数のアイコンに優先度が定められ、優先度の高いアイコンほど優先的に表示されてもよい。このようなアイコンの優先度は、例えば、記憶部１３に蓄積される制御履歴（操作履歴）等に基づいて提案部１２ｂが学習することにより決定されるが、ユーザのタッチパネル１５への操作に基づいて決定（指定）されてもよい。
【０１０８】
［制御内容の記憶］
上記対象制御内容は、施設１０１のユーザの生活情報に基づいて定められる。すなわち、施設１０１の一のユーザに応じてカスタマイズされた制御内容となる。したがって、施設１０１内に複数のユーザが存在する場合、複数のユーザのそれぞれに対応した複数の制御内容が記憶されたほうがよい場合がある。
【０１０９】
例えば、制御内容が上記決定例１で説明された照明装置２０の自動制御である場合、一のユーザの生活情報に応じて対象制御内容が決定されたときに、照明装置２０の点灯時刻及び消灯時刻が異なる他のユーザの制御内容が既に記憶部１３に記憶されている状況が考えられる。つまり、実質的な制御内容は対象制御内容と一致しているが、制御パラメータのみが異なる類似の制御内容が既に記憶されている場合がある。
【０１１０】
このような場合、提案部１２ｂは、例えば、対象制御内容を、既に記憶部１３に記憶されている制御内容とは別に記憶する。これにより、制御パラメータが異なる複数の制御内容が記憶されるため、複数の制御内容の選択が可能となる。
【０１１１】
実質的な制御内容が同一である制御内容は、例えば、１つの制御モードとして取り扱われるとよい。具体的には、上記決定例１で説明された照明装置２０の自動制御が照明自動制御モードと定義されている場合、照明自動制御モードに複数の制御内容が対応づけられる。
【０１１２】
なお、提案部１２ｂは、照明自動制御モードに対応付けられた制御内容が既に記憶部１３に記憶されている場合、当該制御内容を照明自動制御モードに対応付けられた対象制御内容によって上書きしてもよい。この場合、１つの制御モードに対して制御内容は１つしか記憶されないため、記憶部１３の記憶容量を削減できる。
【０１１３】
［制御内容の削除］
機器制御システム１００において、ユーザは、記憶部１３に記憶された制御内容（対象制御内容）を削除することができる。図１１は、制御内容を削除するための画像の一例を示す図である。
【０１１４】
図１１では、１つの照明自動制御モードに対して制御内容１及び制御内容２の複数の制御内容が対応づけられている。図１１に示される画像が表示されているときに、ユーザが制御内容１の削除を指示する入力をタッチパネル１５に行った場合、削除部１２ｃは、制御内容１は削除するが、照明自動制御モード及び制御内容２は維持する。つまり、削除部１２ｃは、記憶部１３に記憶された制御内容を削除するときに、当該制御内容に対応する制御モードを維持する。
【０１１５】
また、ユーザが制御内容１及び制御内容２の両方の削除を指示する入力をタッチパネル１５に行った場合、削除部１２ｃは、制御内容をデフォルト設定とした上で照明自動制御モードを維持してもよいが、照明自動制御モードをさらに削除してもよい。つまり、削除部１２ｃは、記憶部１３に記憶された制御内容を削除するときに、当該制御内容に対応する制御モードを削除してもよい。
【０１１６】
なお、１つの制御モードに対して制御内容が１つのみ対応づけられる場合、図１２に示される画像のように、制御モードが削除の対象として表示されれば十分であり、制御内容が表示される必要はない。図１２は、制御内容を削除するための画像の別の一例を示す図である。図１２の例では、ユーザが照明自動制御モードの削除を指示する入力をタッチパネル１５に行った場合、削除部１２ｃは、照明自動制御モードとこれに対応する制御内容とを削除する。つまり、削除部１２ｃは、記憶部１３に記憶された制御内容を削除するときに、当該制御内容に対応する制御モードを削除してもよい。
【０１１７】
［変形例１］
上記実施の形態において、制御装置１０が備える構成要素は、複数の装置に分配されてもよい。つまり、複数の装置によって制御装置１０と同等の機能が実現されてもよい。例えば、制御装置１０が備える構成要素は、図１に示されるホームゲートウェイ８０及び情報端末９０に分配されてもよい。
【０１１８】
この場合、ホームゲートウェイ８０は、例えば、通信部１１、信号処理部１２（制御部１２ａ、提案部１２ｂ、及び、削除部１２ｃ）、並びに、記憶部１３を備え、情報端末９０は、タッチパネル１５及び表示部１６を備えるとよい。ホームゲートウェイ８０は、具体的には、ＨＥＭＳ（Ｈｏｍｅ  Ｅｎｅｒｇｙ  Ｍａｎａｇｅｍｅｎｔ  Ｓｙｓｔｅｍ）コントローラなどである。情報端末９０は、具体的には、スマートフォンまたはタブレット端末であるが、パーソナルコンピュータなどであってもよい。
【０１１９】
また、制御装置１０が備える構成要素の一部がホームゲートウェイ８０に分配されてもよい。この場合、ホームゲートウェイ８０は、例えば、通信部１１、信号処理部１２（制御部１２ａ、提案部１２ｂ、及び、削除部１２ｃ）、並びに、記憶部１３を備え、制御装置１０は、タッチパネル１５及び表示部１６を備える。なお、制御部１２ａの機能（機器を制御する機能）は、ホームゲートウェイ８０及び制御装置１０の両方が備えてもよい。
【０１２０】
この場合、ホームゲートウェイ８０は、制御装置１０の上位制御装置として機能する。ホームゲートウェイ８０は、例えば、施設１０１内の複数の制御装置１０に提案情報を出力し、提案画像を表示させることができる。また、ホームゲートウェイ８０は、施設１０１内の複数の制御装置１０にユーザが対象制御内容を実行するためのアイコン（以下、実行アイコンとも記載する）を表示させることができる。
【０１２１】
ここで、ホームゲートウェイ８０は、実行アイコンを全ての制御装置１０に表示させる必要はなく、特定の制御装置１０にのみ選択的に実行アイコンを表示させてもよい。例えば、ホームゲートウェイ８０は、対象制御内容に関連する機器を制御対象とする制御装置１０にのみ選択的に実行アイコンを表示させてもよい。
【０１２２】
また、対象制御内容が、施設１０１内の全ての機器をオフする制御内容である場合、ホームゲートウェイ８０は、実行アイコンを玄関または玄関に最も近い位置に配置された制御装置１０にのみ実行アイコンを表示させてもよい。なぜなら、施設１０１内の全ての機器をオフする制御内容は、ユーザが外出する際に使用する制御内容であり、実行アイコンは、玄関または玄関に最も近い位置に配置された制御装置１０の表示部１６に表示されれば十分だからである。
【０１２３】
［変形例２］
上記実施の形態では、提案部１２ｂは、通信部１１によって取得された生活情報に基づいて、対象制御内容を決定した。ここで、提案部１２ｂは、生活情報に加えて、ユーザへのアンケート情報に基づいて対象制御内容を決定してもよい。
【０１２４】
例えば、提案部１２ｂは、アンケートを行うための情報を表示部１６に出力することによりアンケート画像を表示部１６に表示させる。図１３は、アンケート画像の一例を示す図である。
【０１２５】
図１３に示されるアンケート画像は、ユーザに前日に快眠できたか否かをユーザにアンケートするための画像である。タッチパネル１５によって快眠ができたことを示す入力が受け付けられると、ユーザが眠っていたと推定される時間帯における生活情報は、ユーザが快眠できたときの生活情報として記憶部１３に記憶される。つまり、生活情報がアンケート情報と対応付けて記憶される。
【０１２６】
このように、生活情報がアンケート情報と対応付けて記憶されることにより、提案部１２ｂは、ユーザが快眠できたときの生活情報（温度、湿度、部屋の照度、及び、就寝時刻）に基づいてユーザの就寝時に用いられるシーン制御（対象制御内容）を決定することができる。つまり、提案部１２ｂは、ユーザにとってより快適な対象制御内容を提案することができる。
【０１２７】
なお、アンケート情報は、生活情報の一部とされてもよい。この場合、タッチパネル１５は、アンケート情報を生活情報として取得する取得部として機能する。
【０１２８】
［効果等］
以上説明したように、機器制御システム１００は、施設１０１に設置された機器を制御する制御部１２ａと、施設１０１のユーザの生活に関連する生活情報を取得する通信部１１と、通信部１１によって取得された生活情報に基づいて、制御部１２ａが機器を制御するための制御内容であってユーザへの提案の対象となる制御内容である対象制御内容を決定し、決定された対象制御内容をユーザに提案するための提案情報を出力する提案部１２ｂと、対象制御内容を許可するか否かを示す入力をユーザから受け付けるタッチパネル１５とを備える。機器制御システム１００は、制御システムの一例であり、通信部１１は、取得部の一例であり、タッチパネル１５は、入力受付部の一例である。
【０１２９】
これにより、対象制御内容を許可する入力をユーザから受け付けたときに対象制御内容が記憶または実行されることで、ユーザの意図に反して自動的に対象制御内容が記憶または実行されてしまうことが抑制される。つまり、機器制御システム１００は、制御内容が自動的に変更されることによりユーザが困惑してしまうことを抑制することができる。
【０１３０】
また、機器制御システム１００は、さらに、記憶部１３を備え、提案部１２ｂは、タッチパネル１５によって対象制御内容を許可する入力が受け付けられた場合、対象制御内容を記憶部１３に記憶してもよい。提案部１２ｂは、タッチパネル１５によって対象制御内容を拒否する入力が受け付けられた場合、対象制御内容を記憶部１３に記憶しなくてもよい。
【０１３１】
これにより、対象制御内容を許可する入力をユーザから受け付けたときにのみ対象制御内容が記憶されるため、ユーザの意図に反して自動的に対象制御内容が記憶されてしまうことが抑制される。つまり、機器制御システム１００は、機器の制御内容を変更するときにユーザが困惑してしまうことを抑制することができる。
【０１３２】
また、提案部１２ｂは、さらに、記憶部１３に記憶された対象制御内容の実行を提案するための情報を出力し、タッチパネル１５は、さらに、記憶部１３に記憶された対象制御内容の実行を許可するか否かを示す入力を受け付けてもよい。制御部１２ａは、タッチパネル１５によって対象制御内容の実行を許可する入力が受け付けられた場合、対象制御内容を実行してもよい。
【０１３３】
これにより、対象制御内容の実行を許可する入力をユーザから受け付けたときに対象制御内容が実行されるため、ユーザの意図に反して自動的に対象制御内容が実行されてしまうことが抑制される。つまり、機器制御システム１００は、対象制御内容の実行によりユーザが困惑してしまうことを抑制することができる。
【０１３４】
また、制御部１２ａは、タッチパネル１５によって対象制御内容を許可する入力が受け付けられた場合、記憶された対象制御内容を実行してもよい。
【０１３５】
これにより、対象制御内容を許可する入力をユーザから受け付けたときに対象制御内容が実行されるため、ユーザの意図に反して自動的に対象制御内容が実行されてしまうことが抑制される。つまり、機器制御システム１００は、対象制御内容の実行によりユーザが困惑してしまうことを抑制することができる。
【０１３６】
また、タッチパネル１５は、さらに、記憶部１３に記憶された制御内容の削除を指示する入力をユーザから受け付けてもよい。機器制御システム１００は、さらに、記憶部１３に記憶された制御内容の削除を指示する入力がタッチパネル１５によって受け付けられた場合、当該入力によって指示された制御内容を削除する削除部１２ｃを備えてもよい。
【０１３７】
これにより、ユーザは、記憶部１３に記憶された制御内容（対象制御内容）を削除することができる。
【０１３８】
また、記憶部１３に記憶された制御内容は、制御モードに対応づけられ、削除部１２ｃは、記憶部１３に記憶された制御内容を削除するときに、当該制御内容に対応する制御モードをさらに削除してもよい。
【０１３９】
これにより、ユーザは、記憶部１３に記憶された制御内容及び制御モードを削除することができる。
【０１４０】
また、記憶部１３に記憶された制御内容は、制御モードに対応づけられ、削除部１２ｃは、記憶部１３に記憶された制御内容を削除するときに、当該制御内容に対応する制御モードは維持してもよい。
【０１４１】
これにより、ユーザは、記憶部１３に記憶された制御内容に加えて制御モードを削除することができる。
【０１４２】
また、制御部１２ａは、機器として照明装置２０を制御し、通信部１１は、ユーザの睡眠パターンを示す情報を生活情報として取得してもよい。提案部１２ｂは、通信部１１によって取得された睡眠パターンを示す情報に基づいて照明装置２０の明るさを変化させる制御内容を、対象制御内容として決定してもよい。
【０１４３】
このように、対象制御内容としては、照明装置２０の自動制御が例示される。照明装置２０の自動制御によれば、ユーザが手動で照明装置２０を操作する必要がなくなる。
【０１４４】
また、機器制御システム１００は、さらに、タッチパネル１５に対向配置され、提案部１２ｂによって出力された提案情報に基づいて対象制御内容をユーザに提案するための画像を表示する表示部１６を備えてもよい。機器制御システム１００は、タッチパネル１５への操作に基づいて、機器への電力供給をオン及びオフするスイッチ部１７を備えてもよい。機器制御システム１００は、制御部１２ａ、通信部１１、提案部１２ｂ、タッチパネル１５、表示部１６、及び、スイッチ部１７を収容し、少なくとも一部が施設１０１の壁面１０３に埋め込まれる筐体１８を備えてもよい。
【０１４５】
これにより、機器制御システム１００は、いわゆる壁スイッチとして動作することができる。
【０１４６】
また、機器制御システム１００が実行する、施設１０１に設置された機器の制御方法は、施設１０１のユーザの生活に関連する生活情報を取得し、取得された生活情報に基づいて、機器を制御するための制御内容であってユーザへの提案の対象となる制御内容である対象制御内容を決定し、決定された対象制御内容をユーザに提案するための提案情報を出力し、対象制御内容を許可するか否かを示す入力をユーザから受け付ける。
【０１４７】
これにより、対象制御内容を許可する入力をユーザから受け付けたときに対象制御内容が記憶または実行されることで、対象制御内容がユーザの意図に反して自動的に記憶または実行されてしまうことが抑制される。つまり、上記制御方法は、制御内容が自動的に変更されることによりユーザが困惑してしまうことを抑制することができる。
【０１４８】
（その他の実施の形態）
以上、実施の形態について説明したが、本発明は、上記実施の形態に限定されるものではない。
【０１４９】
上記実施の形態で説明した装置間の通信方法は、一例である。装置間の通信方法については特に限定されるものではない。装置間では、例えば、特定小電力無線、ＺｉｇＢｅｅ（登録商標）、Ｂｌｕｅｔｏｏｔｈ（登録商標）、または、Ｗｉ−Ｆｉ（登録商標）などの通信規格を用いた無線通信が行われる。なお、無線通信は、具体的には、電波通信、または、赤外線通信などである。
【０１５０】
また、装置間においては、無線通信に代えて、電力線搬送通信（ＰＬＣ：Ｐｏｗｅｒ  Ｌｉｎｅ  Ｃｏｍｍｕｎｉｃａｔｉｏｎ）または有線ＬＡＮを用いた通信など、有線通信が行われてもよい。
【０１５１】
また、例えば、上記実施の形態において、特定の処理部が実行する処理を別の処理部が実行してもよい。また、複数の処理の順序が変更されてもよいし、複数の処理が並行して実行されてもよい。
【０１５２】
また、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１５３】
また、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１５４】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、機器制御システムまたは制御装置が実行する機器の制御方法として実現されてもよいし、上記制御方法をコンピュータに実行させるためのプログラムとして実現されてもよい。
【０１５５】
また、上記実施の形態において説明された機器制御システムの動作における複数の処理の順序は一例である。複数の処理の順序は、変更されてもよいし、複数の処理は、並行して実行されてもよい。
【０１５６】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１５７】
１０  制御装置
１１  通信部（取得部）
１２ａ  制御部
１２ｂ  提案部
１２ｃ  削除部
１３  記憶部
１５  タッチパネル（入力受付部）
１６  表示部
１７  スイッチ部
１８  筐体
２０  照明装置
５０  室外機
５１  温度計測装置
１００  機器制御システム（制御システム）
１０１  施設
１０３  壁面
【図１】
2017220918.tif 000003
【図２】
2017220918.tif 000004
【図３】
2017220918.tif 000005
【図４】
2017220918.tif 000006
【図５】
2017220918.tif 000007
【図６】
2017220918.tif 000008
【図７】
2017220918.tif 000009
【図８】
2017220918.tif 000010
【図９】
2017220918.tif 000011
【図１０】
2017220918.tif 000012
【図１１】
2017220918.tif 000013
【図１２】
2017220918.tif 000014
【図１３】
2017220918.tif 000015